(57)【要約】本発明は、暗号化されたデータが記録される光ディスク（１）（４）であり、暗号化されたコンテンツデータが記録される第１の記録領域（３ｂ）（４ｂ）と、第１の記録領域に先立って読み出される位置に設けられ、暗号化されたコンテンツデータを解くための暗号鍵データが記録される第１の領域部分（６）と少なくとも第１の領域部分とは異なる変調方式で変調された記録媒体識別用の識別データが記録される第２の領域部分（７）を有する第２の記録領域（３ａ）（４ａ）とを備えている。
2003003358.tif 000002
【特許請求の範囲】
【請求項１】
暗号化されたデータが記録される第１の記録領域と、
上記第１の記録領域に先立って読み出される位置に設けられ、上記暗号化されたデータを解くための暗号鍵データが記録される第１の領域部分と少なくとも上記第１の領域部分とは異なる変調方式で変調されたデータが記録される第２の領域部分を有する第２の記録領域とを備えている記録媒体。
【請求項２】
上記第２の領域部分は、上記異なる変調方式で変調されたデータが追記録される領域である請求の範囲第１項記載の記録媒体。
【請求項３】
上記第２の領域部分は、上記異なる変調方式で変調されたデータを記録するときにガイドとなるガイド部が予め記録されている請求の範囲第２項記載の記録媒体。
【請求項４】
上記ガイド部は、プリグルーブである請求の範囲第３項記載の記録媒体。
【請求項５】
上記ガイド部は、所定の長さのピットと上記ピットの間のランドとからなるパターンである請求の範囲第３項記載の記録媒体。
【請求項６】
上記第１の領域部分は、上記第２の領域部分に先行する位置に設けられている請求の範囲第２項記載の記録媒体。
【請求項７】
上記第２の領域部分は、上記第１の領域部分に先行する位置に設けられている請求の範囲第２項記載の記録媒体。
【請求項８】
上記異なる変調方式で変調されたデータの一部が、上記第２の領域部分のうちの上記第１の領域部分に先行する部分に記録され、上記異なる変調方式で変調されたデータの他の部分が上記第２の記録領域部分のうちの上記第１の領域部分に後続する部分に記録されている請求の範囲第２項記載の記録媒体。
【請求項９】
上記異なる変調方式で変調されたデータは、上記記録媒体固有の識別データである請求の範囲第２項記載の記録媒体。
【請求項１０】
上記第２の記録領域は、上記第２の領域部分を有する記録媒体であるか否かを示すデータが記録されている請求の範囲第１項記載の記録媒体。
【請求項１１】
上記第１の記録領域に記録されるデータと上記第１の領域部分に記録されるデータは、８−１４変調方式又は８−１６変調方式によって変調され、上記第２の領域部分に記録されるデータは位相変調（ＰＥ：Ｐｈａｓｅ  ｅｎｃｏｒｄｉｎｇ）又はバイフェーズマーク（ｂｉ−ｐｈａｓｅ  ｍａｒｋ）変調されている請求の範囲第１項記載の記録媒体。
【請求項１２】
暗号化されたデータに基づいて光源から出射されたレーザ光を変調し、
変調されたレーザ光によって記録媒体の所定の領域に記録を行い、
上記所定の記録領域に先行する記録領域に上記暗号化されたデータの暗号を解くためのデータと少なくとも上記暗号を解くためのデータとは異なる変調方式によって変調されたデータを記録するためのガイド部を記録する記録媒体の記録方法。
【請求項１３】
上記ガイド部は、プリグルーブである請求の範囲第１２項記載の記録媒体の記録方法。
【請求項１４】
上記ガイド部は、所定の長さのピットと上記ピットの間のランドとからなるパターンである請求の範囲第１２項記載の記録媒体の記録方法。
【請求項１５】
暗号化されたデータが記録される第１の記録領域と、上記第１の記録領域に先立って読み出される位置に設けられ、上記暗号化されたデータを解くための暗号鍵データが記録される第１の領域部分と少なくとも上記第１の領域部分とは異なる変調方式で変調されたデータを記録するためのガイド部が形成された第２の領域部分を有する第２の記録領域とを備えている記録媒体を回転駆動する回転駆動部と、
上記記録媒体を走査するヘッド部と、
上記ヘッド部からの出力信号に基づいて上記回転駆動部を回転制御すると共に、少なくとも上記第１の領域部分と上記第２の領域部分とで上記回転駆動部の回転制御を切り換える制御部とを備えている記録媒体の記録及び／又は再生装置。
【請求項１６】
上記制御部は、上記第１の領域部分を上記ヘッド部によって走査するときには上記ヘッド部からの出力信号から検出される同期信号に基づく上記回転駆動部の制御を行い、上記第２の領域部分を上記ヘッド部によって走査するときには上記ヘッド部からの出力信号から検出される反転期間に基づく上記回転駆動部の回転制御を行う請求の範囲第１５項記載の記録及び／又は再生装置。
【請求項１７】
上記制御部は、上記第１の領域部分を上記ヘッド部によって走査するときには上記ヘッド部の出力信号から検出される最大反転期間に基づく上記回転駆動部の制御を行い、上記第２の領域部分を上記ヘッド部によって走査するときには上記ヘッド部からの出力信号から検出される反転期間に基づく上記回転駆動部の回転制御を行う請求の範囲第１５項記載の記録及び／又は再生装置。
【請求項１８】
上記制御部は、上記ヘッド部によって上記記録媒体から読み出された信号から抽出されたアドレス情報に基づいて上記回転駆動部の回転制御を切り換える請求の範囲第１５項記載の記録及び／又は再生装置。
【請求項１９】
暗号化されたデータが記録される第１の記録領域と、上記第１の記録領域に先立って読み出される位置に設けられ、上記暗号化されたデータを解くための暗号鍵データが記録される第１の領域部分と、上記第１の領域部分に隣接しデータを記録するためのガイド部が形成された第２の領域部分を有する第２の記録領域とを備えている記録媒体を回転駆動する回転駆動部と、
入力されたデータに少なくとも上記第１の領域部分とは異なる変調方式で変調する変調部と、
上記記録媒体を走査すると共に、上記ガイド部に沿って上記変調部からの出力データを上記第２の領域部分に記録するヘッド部と、
上記ヘッド部が上記第１の領域部分を走査するときよりも上記第２の領域部分を走査し、上記異なる変調方式で変調されたデータを記録するときとで出力レベルが高くなるように切り換える制御部を備えている記録媒体の記録装置。
【請求項２０】
上記制御部は、上記ヘッド部によって上記記録媒体から読み出された信号から抽出されたアドレス情報に基づいて上記ヘッド部が上記第２の領域部分に到達したか否かを検出する請求の範囲第１９項記載の記録媒体の記録装置。
【請求項２１】
上記変調部は、位相変調（ＰＥ：Ｐｈａｓｅ  ｅｎｃｏｒｄｉｎｇ）又はバイフェーズマーク（ｂｉ−ｐｈａｓｅ  ｍａｒｋ）変調を施す請求の範囲第１９項記載の記録媒体の記録装置。
【請求項２２】
上記入力されたデータは、上記記録媒体固有の識別データである請求の範囲第２１項記載の記録媒体の記録装置。
【請求項２３】
上記制御部は、上記ヘッド部からの出力信号に基づいて上記回転駆動部を回転制御すると共に、少なくとも上記第１の領域部分と上記第２の領域部分とで上記回転駆動部の制御を切り換える請求の範囲第１９項記載の記録媒体の記録装置。
【請求項２４】
上記制御部は、上記第１の領域部分を上記ヘッド部によって走査するときには上記ヘッド部からの出力信号から検出される同期信号に基づく上記回転駆動部の制御を行い、上記第２の領域部分を上記ヘッド部によって走査するときには上記ヘッド部からの出力信号から検出される反転期間に基づく上記回転駆動部の回転制御を行う請求の範囲第２３項記載の記録媒体の記録装置。
【請求項２５】
上記制御部は、上記第１の領域部分を上記ヘッド部によって走査するときには上記ヘッド部からの出力信号から検出される最大反転期間に基づく上記回転駆動部の制御を行い、上記第２の領域部分を上記ヘッド部によって走査するときには上記ヘッド部からの出力信号から検出される反転期間に基づく上記回転駆動部の回転制御を行う請求の範囲第２３項記載の記録媒体の記録装置。
【請求項２６】
上記制御部は、上記ヘッド部によって上記記録媒体から読み出された信号から抽出されたアドレス情報に基づいて上記回転駆動部の回転制御を切り換える請求の範囲第２３項記載の記録媒体の記録装置。
【請求項２７】
暗号化されたデータが記録される第１の記録領域と、上記第１の記録領域に先立って読み出される位置に設けられ、上記暗号化されたデータを解くための暗号鍵データが記録される第１の領域部分と少なくとも上記第１の領域部分とは異なる変調方式で変調されたデータが記録される第２の領域部分を有する第２の記録領域とを備えている記録媒体を回転駆動する回転駆動部と、
上記記録媒体を走査するヘッド部と、
上記ヘッド部からの出力信号に基づいて上記回転駆動部を回転制御すると共に、上記記録媒体が上記第２の領域部分を有する記録媒体であるか否かを判別し、上記第２の領域部分を有する記録媒体であると判別されたときには上記回転駆動部の制御を切り換える制御部とを備えている記録媒体の再生装置。
【請求項２８】
上記制御部は、上記第１の領域部分を上記ヘッド部によって走査するときには上記ヘッド部からの出力信号から検出される同期信号に基づく上記回転駆動部の制御を行い、上記第２の領域部分を上記ヘッド部によって走査するときには上記ヘッド部からの出力信号から検出される反転期間に基づく上記回転駆動部の回転制御を行う請求の範囲第２７項記載の記録媒体の再生装置。
【請求項２９】
上記制御部は、先ず上記同期信号に基づく上記回転駆動部の制御状態で上記記録媒体が上記第２の領域部分を有するか否かを判別し、上記第２の領域部分を有する記録媒体であると判別されたときには、上記反転期間に基づく上記回転駆動部の回転制御を行う請求の範囲第２８項記載の記録媒体の再生装置。
【請求項３０】
上記制御部は、上記第２の領域部分に記録されているデータの読み出しが終了した後には、上記同期信号に基づく上記回転駆動部の回転制御を行う請求の範囲第２９項記載の記録媒体の再生装置。
【請求項３１】
上記制御部は、上記第２の領域部分に記録されているデータの読み出しが終了した後には、上記ヘッド部を上記第１の記録領域に移動させ、上記第１の記録領域に記録されているデータの再生動作を開始する請求の範囲第３０項記載の記録媒体の再生装置。
【請求項３２】
上記制御部は、上記第２の領域部分に記録されているデータが読み出せなかったときには、上記回転駆動部を上記同期信号に基づく回転制御を行う請求の範囲第２７項記載の記録媒体の再生装置。
【請求項３３】
上記制御部は、上記第２の領域部分に記録されているデータが読み出せなかったときには、上記第１の記録領域に記録されているデータの再生を禁止する請求の範囲第２７項記載の記録媒体の再生装置。
【請求項３４】
上記異なる変調方式で変調されたデータは、上記記録媒体固有の識別データである請求の範囲第２７項記載の記録媒体の再生装置。
【請求項３５】
上記制御部は、上記第１の領域部分を上記ヘッド部によって走査するときには上記ヘッド部からの出力信号から検出される最大反転期間に基づく上記回転駆動部の制御を行い、上記第２の領域部分を上記ヘッド部によって走査するときには上記ヘッド部からの出力信号から検出される反転期間に基づく上記回転駆動部の回転制御を行う請求の範囲第２７項記載の記録媒体の再生装置。
【請求項３６】
上記制御部は、先ず上記検出される最大反転検出期間に基づく上記回転駆動部の回転制御状態で上記記録媒体が上記第２の領域部分を有するか否かを判別し、上記第２の領域部分を有する記録媒体であると判別されたときには、上記反転期間に基づく上記回転駆動部の回転制御を行う請求の範囲第３５項記載の記録媒体の再生装置。
【請求項３７】
上記制御部は、上記第２の領域部分に記録されているデータの読み出しが終了した後、上記検出される最大反転検出期間に基づく上記回転駆動部の回転制御を行う請求の範囲第３５項記載の記録媒体の再生装置。
【請求項３８】
上記制御部は、上記第２の領域部分に記録されているデータの読み出しが終了した後、上記ヘッド部を上記第１の記録領域に移動させ、上記第１の記録領域に記録されているデータの再生動作を開始する請求の範囲第２７項記載の記録媒体の再生装置。
【請求項３９】
上記制御部は、上記ヘッド部によって上記記録媒体から読み出された信号から抽出されたアドレス情報に基づいて上記回転駆動部の回転制御を切り換える請求の範囲第２７項記載の記録媒体の再生装置。
【請求項４０】
装着された記録媒体が、暗号化されたデータが記録される第１の記録領域と、上記第１の記録領域に先立って読み出される位置に設けられ、上記暗号化されたデータを解くための暗号鍵データが記録される第１の領域部分と少なくとも上記第１の領域部分とは異なる変調方式で変調されたデータが記録される第２の領域部分を有する第２の記録領域とを備えている記録媒体であるか否かを判別し、
上記装着された記録媒体が上記第２の領域部分を有する記録媒体であるときには、上記第２の領域部分に記録された上記異なる変調方式で変調されたデータをヘッド部を用いて読み出し、
上記記録媒体から上記異なる変調方式で変調されたデータが正しく読み出されたときには、上記読み出してある上記暗号を解くためのデータに基づいて上記第１の記録領域から読み出された暗号化されたデータを解読して再生する記録媒体の再生方法。
【請求項４１】
上記方法は、上記記録媒体から上記異なる変調方式で変調されたデータが正しく読み出すことができなかったときには、上記第１の記録領域に記録されているデータの再生を禁止する請求の範囲第４０項記載の記録媒体の再生方法。
【請求項４２】
上記方法は、上記第１の領域部分を上記ヘッド部によって走査するときには上記ヘッド部からの出力信号から検出される同期信号に基づく上記記録媒体の回転制御を行い、上記第２の領域部分を上記ヘッド部によって走査するときには上記ヘッド部からの出力信号から検出される反転期間に基づく上記記録領域の回転制御を行う請求の範囲第４０項記載の記録媒体の再生方法。
【請求項４３】
上記方法は、先ず上記同期信号に基づく上記記録媒体の回転制御状態で上記記録媒体が上記第２の領域部分を有するか否かを判別し、上記第２の領域部分を有する記録媒体であると判別されたときには、上記反転期間に基づく上記記録媒体の回転制御を行う請求の範囲第４２項記載の記録媒体の再生方法。
【請求項４４】
上記方法は、上記第１の領域部分を上記ヘッド部によって走査するときには上記ヘッド部からの出力信号から検出される最大反転期間に基づく上記記録媒体の回転制御を行い、上記第２の領域部分を上記ヘッド部によって走査するときには上記ヘッド部からの出力信号から検出される反転期間に基づく上記記録媒体の回転制御を行う請求の範囲第４０項記載の記録媒体の再生方法。
【請求項４５】
上記方法は、先ず上記検出される最大反転検出期間に基づく上記記録媒体の回転制御状態で上記記録媒体が上記第２の領域部分を有するか否かを判別し、上記第２の領域部分を有する記録媒体であると判別されたときには、上記反転期間に基づく上記記録媒体の回転制御を行う請求の範囲第４４項記載の記録媒体の再生方法。
【請求項４６】
上記方法は、上記ヘッド部によって読み出された信号から抽出されたアドレス情報に基づいて上記記録媒体の回転制御を切り換える請求の範囲第４０項記載の記録媒体の再生方法。
【発明の詳細な説明】
技術分野
本発明は、コンテンツデータ等と共にシリアル番号等の記録媒体固有の識別データ等のデータを記録した記録媒体であり、更に、記録媒体固有の識別データ等のデータを、既存のコンテンツデータ等のデータを再生する再生処理手段で再生処理することができないように記録する記録装置及び方法に関し、更にはこの記録装置で識別データ等のデータが記録された記録媒体を再生することを可能とする再生装置及び方法に関する。
背景技術
従来、光学的な再生手段によりデータの読出を可能とした光ディスクとして、所謂コンパクトディスク（以下、単にＣＤともいう。）やディジタル・バーサタイル・ディスク（以下、単にＤＶＤという。）がある。このような光ディスクは、パッケージングされて大量に頒布される記録媒体であるため、頒布された光ディスクの識別を行うため、光ディスクが収納されたケース等のパッケージにシリアル番号等が印刷されている。
しかしながら、シリアル番号等がパッケージに印刷されているため、収納されている光ディスクがパッケージと分離され、光ディスクが単体で取り扱われると、光ディスク単体では他の光ディスクとの識別を行うことができなくなる。光ディスクのみが他者に渡ったときには、シリアル番号等を用いた光ディスクの管理が困難となる。
光ディスクは、ディジタルデータが記録されたものであり、データの劣化を伴うことなく容易に複写することが可能である。光ディスクに記録されたコンテンツデータ等の著作物データが著作権者に無断で複写されたときには、著作権者の利益が害されることになる。
発明の開示
本発明の目的は、コンテンツデータ等と共にシリアル番号等の記録媒体固有のデータを記録することで、記録媒体毎の管理を容易に行うことを可能とする記録媒体を提供することにある。
本発明の他の目的は、コンテンツデータ等のデータの読み出しに先立って読み出される位置に記録された記録媒体固有の識別を可能にする識別データ等のデータを、既存の方式で記録されたコンテンツデータ等のデータを再生する再生処理手段で再生処理することができないように記録した記録媒体を提供することにある。
本発明の更に他の目的は、正規な装置でのみシリアル番号等の記録媒体固有のデータの読み取りを可能にし、不正にデータが複写されることを防止し、著作権者の利益を保護することができる記録媒体を提供することにある。
本発明の更に他の目的は、既存の方式で記録されたコンテンツデータ等のデータを再生する再生処理手段で再生処理することができない記録媒体固有のデータを記録する記録装置及び記録方法を提供することにある。
本発明の更に他の目的は、既存の方式で記録されたコンテンツデータ等のデータを再生する再生処理手段で再生処理することができない記録媒体固有のデータが記録された記録媒体の再生を行うことができる再生装置及び再生方法を提供することにある。
本発明の更に他の目的は、正規な装置でのみシリアル番号等のデータの読み取りを可能にし、不正にデータが複写されることを防止し、著作権者の利益を保護することができる記録媒体、記録装置及び方法並びに再生装置及び方法を提供することにある。
本発明は、暗号化されたデータが記録される記録媒体であり、この記録媒体は、暗号化されたデータが記録される第１の記録領域と、第１の記録領域に先立って読み出される位置に設けられ、暗号化されたデータを解くための暗号鍵データが記録される第１の領域部分と少なくとも第１の領域部分とは異なる変調方式で変調されたデータが記録される第２の領域部分を有する第２の記録領域とを備えている。
第２の領域部分に記録されるデータは、記録媒体固有の識別データであり、第１の領域部分とは異なる変調方式で変調されて追記録される。
第２の領域部分は、第１の領域部分とは異なる変調方式で変調されたデータを記録するときにガイドとなるガイド部が予め記録されている。
本発明は、記録媒体の記録方法であり、暗号化されたデータに基づいて光源から出射されたレーザ光を変調し、変調されたレーザ光によって記録媒体の所定の領域に記録を行い、所定の記録領域に先行する記録領域に暗号化されたデータの暗号を解くためのデータと少なくとも暗号を解くためのデータとは異なる変調方式によって変調されたデータを記録するためのガイド部を記録する。
本発明は、記録及び／又は再生装置であり、暗号化されたデータが記録される第１の記録領域と、第１の記録領域に先立って読み出される位置に設けられ、暗号化されたデータを解くための暗号鍵データが記録される第１の領域部分と少なくとも第１の領域部分とは異なる変調方式で変調されたデータを記録するためのガイド部が形成された第２の領域部分を有する第２の記録領域とを備えている記録媒体を回転駆動する回転駆動部と、記録媒体を走査するヘッド部と、ヘッド部からの出力信号に基づいて回転駆動部を回転制御すると共に、少なくとも第１の領域部分と第２の領域部分とで回転駆動部の回転制御を切り換える制御部とを備えている。
この記録及び／又は再生装置の制御部は、第１の領域部分をヘッド部によって走査するときにはヘッド部からの出力信号から検出される同期信号に基づく回転駆動部の制御を行い、第２の領域部分をヘッド部によって走査するときにはヘッド部からの出力信号から検出される反転期間に基づく回転駆動部の回転制御を行う。
ここで、制御部は、第１の領域部分をヘッド部によって走査するときにはヘッド部の出力信号から検出される最大反転期間に基づく回転駆動部の制御を行い、第２の領域部分をヘッド部によって走査するときにはヘッド部からの出力信号から検出される反転期間に基づく回転駆動部の回転制御を行うようにしてもよい。
また、制御部は、ヘッド部によって記録媒体から読み出された信号から抽出されたアドレス情報に基づいて回転駆動部の回転制御を切り換えるようにしてもよい。
本発明は、記録媒体の記録装置であり、暗号化されたデータが記録される第１の記録領域と、第１の記録領域に先立って読み出される位置に設けられ、暗号化されたデータを解くための暗号鍵データが記録される第１の領域部分と、第１の領域部分に隣接しデータを記録するためのガイド部が形成された第２の領域部分を有する第２の記録領域とを備えている記録媒体を回転駆動する回転駆動部と、入力されたデータに少なくとも第１の領域部分とは異なる変調方式で変調する変調部と、記録媒体を走査すると共に、ガイド部に沿って変調部からの出力データを第２の領域部分に記録するヘッド部と、ヘッド部が第１の領域部分を走査するときよりも第２の領域部分を走査し、第１の領域部分とは異なる変調方式で変調されたデータを記録するときとで出力レベルが高くなるように切り換える制御部を備えている。
本発明に係る記録装置の変調部は、位相変調（ＰＥ：Ｐｈａｓｅ  ｅｎｃｏｒｄｉｎｇ）又はバイフェーズマーク（ｂｉ−ｐｈａｓｅ  ｍａｒｋ）変調を施す。
本発明は、記録媒体の再生装置であり、暗号化されたデータが記録される第１の記録領域と、第１の記録領域に先立って読み出される位置に設けられ、暗号化されたデータを解くための暗号鍵データが記録される第１の領域部分と少なくとも第１の領域部分とは異なる変調方式で変調されたデータが記録される第２の領域部分を有する第２の記録領域とを備えている記録媒体を回転駆動する回転駆動部と、記録媒体を走査するヘッド部と、ヘッド部からの出力信号に基づいて回転駆動部を回転制御すると共に、記録媒体が第２の領域部分を有する記録媒体であるか否かを判別し、第２の領域部分を有する記録媒体であると判別されたときには回転駆動部の制御を切り換える制御部とを備えている。
本発明は、記録媒体の再生方法であり、装着された記録媒体が、暗号化されたデータが記録される第１の記録領域と、第１の記録領域に先立って読み出される位置に設けられ、暗号化されたデータを解くための暗号鍵データが記録される第１の領域部分と少なくとも第１の領域部分とは異なる変調方式で変調されたデータが記録される第２の領域部分を有する第２の記録領域とを備えている記録媒体であるか否かを判別し、装着された記録媒体が第２の領域部分を有する記録媒体であるときには、第２の領域部分に記録された上記異なる変調方式で変調されたデータをヘッド部を用いて読み出し、録媒体から異なる変調方式で変調されたデータが正しく読み出されたときには、読み出してある暗号を解くためのデータに基づいて第１の記録領域から読み出された暗号化されたデータを解読して再生する。
本発明の更に他の目的、本発明によって得られる具体的な利点は、以下において図面を参照して説明される実施の形態の説明から一層明らかにされるであろう。
発明を実施するための最良の形態
以下、本発明が適用されたデータ記録媒体、データ記録装置及び記録方法について、図面を参照して説明する。
先ず、本発明を再生専用型の光ディスクに適用した例を挙げて説明する。
本発明に係る光ディスク１は、図１に示すように、２つのセッションが設けられている。第１のセッション２は、図１に示すように、光ディスク１の内周側に設けられ、第２のセッション３は、第１のセッション２の外周側に位置して設けられている。第１及び第２のセッション２，３は、それぞれ内周側にＴＯＣ（Ｔａｂｌｅ  ｏｆ  Ｃｏｎｔｅｎｔｓ）データ等が記録されるリードイン領域２ａ，３ａが設けられいる。これらリードイン領域２ａ，３ａの外周側には、それぞれプログラムデータが記録されるプログラム領域２ｂ，３ｂが設けられ、各プログラム領域２ｂ，３ｂの外周側には、それぞれリードアウト領域２ｃ，３ｃが設けられいる。
光ディスク１の外周側に設けられた第２のセッション３の記録密度は、内周側に設けられた第１のセッション２の記録密度より高い記録密度、例えば２倍の記録密度でデータが記録されている。第１のセッション２のプログラム領域２ｂには、例えばＣＤやＤＶＤ等で採用されている既存の記録フォーマットで広告データ等が記録され、第２のセッション３のプログラム領域３ｂには、例えば広告データの対象となっているコンテンツデータが第１のセッション２とは異なる記録フォーマットで暗号化されて記録されている。
第１のセッション２のプログラム領域２ｂには、所定の音質、例えば再生時にはＣＤ又はＤＶＤと同じ音質となるようにオーディオデータが記録され、第２のセッション３のプログラム領域３ｂには、第１のセッション２に記録されたオーディオデータよりも高音質のオーディオデータが記録されている。すなわち、この光ディスク１では、第２のセッション３には第１のセッション２より価値の高いデータが記録される。第２のセッション３のリードイン領域３ａには、第２のセッション３のアドレス情報等のＴＯＣデータの他に、プログラム領域３ｂに暗号化されて記録されているコンテンツデータの暗号鍵に関するデータ（以下、単に暗号鍵データという。）が記録されている。このリードイン領域３ａには、この光ディスク１の識別データが記録されている。
図１に示す光ディスク１においては、第２のセッション３のプログラム領域３ｂが暗号化されたデータの記録領域を構成する。第２のセッション３のリードイン領域３ａは、暗号化されたデータが記録された記録領域であるプログラム領域３ｂに先立って読み出される位置に設けられ、暗号化されたデータを解くための暗号鍵データが記録される領域部分及び識別データが記録される領域部分を有する記録領域を構成する。
なお、光ディスク１の最内周側に位置して設けられたリードイン領域２ａには、光ディスク１が第１のセッション２と第２のセッション３を有する光ディスクあることを示す媒体識別データと、第２のセッション３の開始位置を示すアドレス情報が記録されている。
本発明が適用された光ディスクは、図２に示すように構成することもできる。この光ディスク４は、内周側に、リードイン領域４ａが設けられ、このリードイン領域４ａの外周側にプログラム領域４ｂが設けられ、このプログラム領域４ｂの外周側に、リードアウト領域４ｃが設けられている。プログラム領域４ｂには、図１に示した光ディスク１の第２のセッション３と同じフォーマット、すなわち第１のセッション２より記録密度を高めて、暗号化されたコンテンツデータが記録されている。
光ディスク４のリードイン領域４ａには、アドレス情報等のＴＯＣデータの他に、プログラム領域４ｂに暗号化されて記録されているコンテンツデータの暗号鍵データが記録されている。このリードイン領域４ａには、この光ディスク４の識別を可能にする識別データが記録されている。
図２に示す光ディスク４においては、プログラム領域４ｂが暗号化されたデータの記録領域を構成する。リードイン領域４ａは、暗号化されたデータが記録された記録領域であるプログラム領域４ｂに先立って読み出される位置に設けられ、暗号化されたデータを解くための暗号鍵データが記録される領域部分及び識別データが記録される領域部分を有する記録領域を構成する。
ここで、光ディスク１の第２のセッション３のリードイン領域３ａや光ディスク４のリードイン領域４ａに記録された暗号鍵データと識別データの記録順序について説明すると、図３Ａに示すように、識別データは、リードイン領域３ａ，４ａの中の識別データ記録領域７に記録され、暗号鍵データは、この識別データ記録領域７に先立って設けられたキーロッカー領域６に記録される。このような順序で光ディスク１，４に識別データと暗号鍵データが記録されたとき、先ず、データ再生装置は、光ディスク１，４から暗号鍵データの読み出しを行ってから識別データを読み出す。
なお、本発明に係る光ディスク１，４においては、識別データ記録領域７とキーロッカー領域６との間には他のデータが記録されるようにしてもよい。
暗号鍵データと識別データの記録順序は、図３Ｂに示すようにしてもよい。図３Ｂに示す例では、識別データは、リードイン領域３ａ，４ａの中の識別データ記録領域７に記録され、暗号鍵データは、この識別データ記録領域７に次いで設けられたキーロッカー領域６に記録される。このような順序で識別データと暗号鍵データが記録されたとき、先ず、データ再生装置は、光ディスク１又は光ディスク４の暗号鍵データの読み出しに先立って識別データを光ディスク１又は光ディスク４から読み出すことになる。
なお、図３Ａでも述べたように、本発明に係る光ディスク１，４においては、識別データ記録  領域７とキーロッカー領域６との間には他のデータが記録されるようにしてもよい。
更に、暗号鍵データと識別データの記録順序は、図３Ｃに示すように構成してもよい。図３Ｃに示す例では、暗号鍵データをキーロッカー領域６に記録し、識別データを、キーロッカー領域６の前後に設けられた識別データ記録領域７，７に各々分けて記録するようにしている。このような順序で識別データと暗号鍵データが記録されたとき、先ず、データ再生装置は、最初に先行する識別データ記録領域７から識別データの前半部分のデータを読み出し、次いで、暗号鍵データをキーロッカー領域６を読み出し、次いで、後述する識別データ記録領域７から識別データの後半部分のデータを読み出す。
勿論、この例においても、図３Ａでも述べたように、識別データ記録領域７とキーロッカー領域６との間には他のデータが記録されるようにしてもよい。
この識別データ記録領域７に記録される識別データについて、図４を参照して説明する。識別データ記録領域７には、同期信号（ｓｙｎｃ）に次いで、５１２ビットで識別データが記録されている。具体的に、識別データ記録領域７には、先ず、１６ビットで光ディスク１，４の販売元であるレコード会社のレコード会社ＩＤデータが記録され、次いで、３２ビットで光ディスク１，４を識別するためのレコード番号に関するデータが記録され、次いで、１６ビットで光ディスク１，４の販売国を識別するための国番号に関するデータが記録され、次いで、１６ビットで光ディスク１，４の製造工場を識別するための製造所ＩＤデータが記録され、次いで、３２ビットで光ディスク１，４を製造した製造装置を識別するための製造装置ＩＤデータが記録され、次いで、１２８ビットで光ディスク１，４の第１のシリアル番号に関するデータが記録され、次いで、１２８ビットで光ディスク１，４の第２のシリアル番号に関するデータが記録され、次いで、１４４ビットでデータが改ざんされたかどうかを検出するためのＭＤＣ（Ｍｏｄｉｆｉｃａｔｉｏｎ  Ｄｅｔｅｃｔｉｏｎ  Ｃｏｄｅ）等の検出コードが記録されている。以上のように構成された識別データの後には、図示はしないが、エラー訂正符号が設けられている。
なお、識別データ記録領域７には、この他に、光ディスク１，４のコンテンツデータに関連したデータをユーザがインターネット等のネットワークを介して取得することができるように、ＵＲＬ（Ｕｎｉｆｏｒｍ  Ｒｅｓｏｕｒｃｅ  Ｌｏｃａｔｏｒ）等に関するデータを格納するようにしてもよい。
ところで、本発明が適用された光ディスク１，４は、基本的に再生専用の記録媒体であり、識別データ記録領域７を除いて記録すべきデータに対応した物理的な凹凸パターン、即ち複数のピットからなるピットパターンが設けられている。図４に示した識別データは、同じ長さのピット部とランド部を繰り返して構成されたピットパターン、具体的には３Ｔのピットとランドの繰り返しのピットパターンが設けられた識別データ記録領域７のに追熱記録されている。
ここで、本発明に係る光ディスク１，４を製造する製造工程を図５を参照して説明する。これら光ディスク１，４を製造するには、先ず、図５に示すように、レジスト塗布工程１１において、ガラス原盤にフォトレジストを塗布する。次いで、カッティング工程１２では、記録すべきデータに応じた凹凸ピットパターンをガスレーザ装置から出射されたレーザ光を用いて、ガラス原盤上に形成されたフォトレジスト膜を露光して原盤を作製する。次いで、ピットパターンに基づいてレーザ光により露光された原盤は、現像・定着工程１３において、フォトレジストの現像処理が施され、現像されたピットパターンの定着処理が施される。この後、金属原盤作製工程１４では、現像・定着されたフォトレジストの表面に無電解めっきが施されてマザー盤である金属原盤が作製される。次に、スタンパ作製工程１５において、金属原盤を元にしてスタンパが製造される。基板形成工程１６では、スタンパを例えば射出成形金型内に配設し、射出成型機を用いてポリカーボネートやアクリル等の透明樹脂材料を用いてディスク基板を射出成型する。成型されたディスク基板には、カッティング工程１２で原盤に形成されたピットパターンが転写、即ちピットパターンに基づく凹凸が形成される。次いで、反射膜形成工程１７では、ディスク基板のピットパターンに基づく凹凸が形成された面にスパッタ等によりアルミニウムを主成分とする反射膜が形成される。光ディスク１，４は、この反射膜の光ディスク１，４の識別データ記録領域７部分に識別データをレーザ光を用いて追記録される。
ここで、光ディスク１，４に用いる反射膜は、識別データを記録するため、データの記録を可能とする材料により形成される必要がある。そこで、光ディスク１，４に用いられる反射膜は、所謂ＣＤやＤＶＤに用いられる反射膜と同程度の反射率若しくは従来より用いられている光学ヘッドで読出可能な反射率を有しながら、光ビームとしてのレーザ光をを用いた熱記録によって読み出し用の光ビームの反射率が変化するような材料により形成される。すなわち、反射膜は、照射されるレーザ光による熱記録によって読出用の光ビームとしてのレーザ光に対する反射率が約０．５％以上１０％以下の範囲で変化する特性を有する金属膜によって形成される。具体的には、アルミニウムにゲルマニウムを微量混入させたアルミニウム合金により形成される。
保護膜塗布工程１８では、反射膜形成工程１７で形成された反射膜上に紫外線硬化型樹脂をスピンコート法によって塗布し、塗布された紫外線硬化型樹脂に紫外線を照射し硬化することによって保護膜が形成される。このように形成された光ディスク１，４は、保護膜が形成された面側とは反対側の面側から光ビームが照射されることによりデータの再生が行われる。この後、識別データ記録工程１９では、光ディスク１，４の識別データ記録領域７に識別データが記録される。
ここで、カッティング工程１２で、記録すべきデータに応じた凹凸のピットパターンをレーザ光を用いて露光し原盤を作製するカッティング装置２１について説明する。このカッティング装置２１は、図６に示すように、記録すべきコンテンツデータを生成するコンテンツ生成部２２と、アドレス情報等のサブコードデータを生成するサブコード生成部２３と、コンテンツ生成部２２から出力されたデータとサブコード生成部２３から出力されたサブコードデータとを加算し記録すべきデータを生成する第１のデータ生成部２４と、個体識別データが記録される識別データ記録領域７を構成する３Ｔのデータを生成する第２のデータ生成部２５と、レーザ光を出射するレーザ光源２６と、レーザ光を第１及び第２のデータ生成部２４，２５からのデータに基づいて変調する光変調部２７と、第１のデータ生成部２４からの出力と第２のデータ生成部２５からの出力を選択的に光変調部２７に入力することができるようにする切換部２８と、切換部２８を切換制御する切換制御部２９と、変調されたレーザ光を反射するミラー３０と、レーザ光をガラス原盤３５に集光して照射する対物レンズ３２と、対物レンズ３２をこの対物レンズ３２の光軸方向に駆動する対物レンズ駆動部３３と、ガラス原盤３５を回転する駆動部となるモータ３４と、モータ３４を制御する制御部３６とを備える。
コンテンツ生成部２２は、光ディスク１の第１のセッション２に記録すべきコンテンツデータが入力されたとき、このコンテンツデータをクロスインターリーブ・リード・ソロモン符号化（Ｃｒｏｓｓ  Ｉｎｔｅｒｌｅａｖｅ  Ｒｅｅｄ−Ｓｏｌｏｍｏｎ  Ｃｏｄｅ；ＣＩＲＣ）のアルゴリズムを用いてクロスインターリーブと４次のリード・ソロモン符号の組合せによる符号化を施し、次いで、ＥＦＭ（Ｅｉｇｈｔ  ｔｏ  ＦｏｕｒｔｅｅｎＭｏｄｕｌａｔｉｏｎ）のアルゴリズムに従って変調処理を施す。コンテンツ生成部２２は、光ディスク２の第２のセッション３や光ディスク４に記録するべきコンテンツデータが入力されたとき、暗号鍵データを用いて、コンテンツデータを暗号化し、次いで、ＣＩＲＣ等のエラー訂正符号化処理を施し、次いで、ＥＦＭ等の変調処理を行う。なお、ここで行う変調処理は、ＥＦＭに限定されるものではなく、例えば８−１６変調であってもよく、また、この他の変調方式であってもよい。コンテンツ生成部２２は、コンテンツデータの暗号化に用いた暗号鍵データを、同様にエラー訂正符号化処理し、次いで、変調処理を行う。コンテンツ生成部２２は、このように生成したデータを第１のデータ生成部２４に出力する。
サブコード生成部２３は、光ディスク１や光ディスク４のＴＯＣデータ等のサブコードデータを生成し、第１のデータ生成部２４に出力する。
第１のデータ生成部２４は、コンテンツ生成部２２より入力されたデータとサブコード生成部２３より入力されたデータとを加算し、ガラス原盤３５に記録すべきデータを生成する。第１のデータ生成部２４は、記録すべきデータを切換部２８を介して光変調部２７に出力する。
第２のデータ生成部２５は、光ディスク１の第２のセッション３のリードイン領域３ａに設けられる識別データ記録領域７に記録するための３Ｔのピットとランドが繰り返されるピットパターンを構成するデータを生成する。この識別データ記録領域７に設けられるピットパターンは、データとして意味をなすデータではなく、専ら識別データを追記録する際の光ビームとしてのレーザ光のガイド、すなわちトラッキングサーボやフォーカシングサーボやモータ３４の回転サーボ制御信号を行うために用いられる。
なお、この第２のデータ生成部２５は、３Ｔの繰り返しのピットパターンを構成するデータの他、２Ｔ、６Ｔ、１２Ｔの繰り返しのピットパターンを構成するデータを生成するようにしてもよい。このピットパターンの代わりに、識別データ記録領域７には、光ディスク１，４の半径方向に蛇行したプリグルーブである、所謂ウォブルグルーブを設けてもよい。
切換部２８は、第１のデータ生成部２４から出力されたコンテンツデータ、サブコード等のデータと第２のデータ生成部２５から出力された３Ｔのピットとランドの繰り返しのデータとを選択的に光変調部２７に出力することができるようにする。この切換部２８は、切換制御部２９に制御される。この切換制御部２９は、識別データ記録領域７に３Ｔのピットとランドの繰り返しからなるピットパターンを記録するときに限って、切換部２８を、第２のデータ生成部２５からのデータを光変調部２７に出力するように切り換え、３Ｔのランドとピットの繰り返しパターンを記録するときは、切換部２８を、第１のデータ生成部２４からのデータを光変調部２７に出力するように切り換える。
上述したレーザ光源２６には、アルゴンレーザ、Ｈｅ−Ｃｄレーザ等のガスレーザ装置が用いられる。光変調部２７としては、ポッケルス効果を用いるＥＯＭ（Ｅｌｅｃｔｏｒｉｃａｌ  Ｏｐｔｉｃａｌ  Ｍｏｄｕｌａｔｏｒ）や超音波を用いるＡＯＭ（Ａｃｏｕｓｔｉｃ−Ｏｐｔｉｃａｌ  Ｍｏｄｕｌａｔｏｒ）等が用いられる。モータ３４は、制御部３６によって、例えばガラス原盤３５を回転する回転軸、即ちガラス原盤３５の回転中心からの光ビームの距離に基づいて線速度が一定となるように回転制御される。対物レンズ３２によってガラス原盤３５のフォトレジスト上に集光されるレーザ光に対してガラス原盤３５を回転させるモータ３４とを含む回転駆動機構を図示しない移動委機構によってガラス原盤３５の半径方向に移動させる。
次に、以上のようなカッティング装置２１がガラス原盤３５にデータを記録する動作について図７を参照して説明する。先ず、ステップＳ１において、切換制御部２９は、記録位置が最終的な生成物としてみた場合の光ディスク１又は光ディスク４のリードイン領域３ａ，４ａに相当する領域の識別データ記録領域７であるかどうかを判断する。切換制御部２９は、記録位置が識別データ記録領域７でないとき、ステップＳ２に進み、記録位置が識別データ記録領域７であるとき、ステップＳ３に進む。記録位置が識別データ記録領域７であるか否かの判別は、図６中では図示しない移動機構によって移動されるガラス原盤３５の位置を検出する。
記録位置が識別データ記録領域７でないとき、ステップＳ２において、切換制御部２９は、第１のデータ生成部２４で生成されたデータをガラス原盤３５に記録、カッティングするために、切換部２８を、第１のデータ生成部２４と光変調部２７とを接続するように切り換える。コンテンツ生成部２２は、コンテンツ生成部２２に記録すべきコンテンツデータが入力されると、このコンテンツデータのエラー訂正符号化処理、ＥＦＭ変調処理等を行う。コンテンツ生成部２２は、光ディスク１の第２のセッション３に記録すべきコンテンツデータや光ディスク４に記録すべきコンテンツデータが入力されたとき、暗号鍵データで暗号化処理を行ってから、エラー訂正符号化処理やＥＦＭ変調処理を行う。コンテンツ生成部２２は、暗号鍵データのエラー訂正符号化処理、変調処理等も行う。コンテンツ生成部２２は、所定の処理を施したデータを第１のデータ生成部２４に出力する。これと共に、サブコード生成部２３は、アドレス情報等を生成し、第１のデータ生成部２４に出力する。第１のデータ生成部２４は、コンテンツ生成部２２とサブコード生成部２３からのデータを加算し、記録すべきデータを生成する。第１のデータ生成部２４は、記録すべきデータを切換部２８を介して光変調部２７に出力する。光変調部２７は、レーザ光源２６から出射されるレーザ光を切換部２８を介してデータ生成部２４から供給されるデータに基づいて変調する。例えば、光変調部２７は、データ生成部２４からのデータに基づいてレーザ光源２６からのレーザ光を透過又は遮断することによってオン又はオフする変調を行う。
記録位置が識別データ記録領域７であるとき、ステップＳ３において、切換制御部２９は、切換部２８を、第２のデータ生成部２５と光変調部２７とを接続するように切り換える。第２のデータ生成部２５は、識別データ記録領域７に記録する３Ｔのピットとランドの繰り返しのピットパターンとなるデータを生成する。第２のデータ生成部２５は、記録すべきデータを、切換部２８を介して光変調部２７に出力する。光変調部２７によってレーザ光源２６からのレーザ光が上述した場合と同様に変調される。
光変調器２７で変調されたレーザ光は、ミラー３０に入射される。ミラー３０は、光変調部２７によって変調されたレーザ光をガラス原盤３５に向けて光路を９０°折り曲げる。ミラー３０によって光路が折り曲げられたレーザ光は、対物レンズ３２により集光され、回転駆動部であるモータ３４により回転されているガラス原盤３５に集光された状態で照射される。このとき、対物レンズ３２は、対物レンズ駆動部３３によりレーザ光の光軸方向に駆動変位され、フォーカス制御が行われる。
スタンパは、以上のようなカッティング装置２１によって形成されたガラス原盤３５を元にして上述した図５に示す工程に従って形成される。
なお、光ディスク１，４が再生専用型の光ディスクではなく、データを１回だけ記録できる追記形や情報の書き換えができる書換形であるときは、例えばミラー３０と対物レンズ３２との間に光偏向器を挿入し、アドレス情報等に基づいて、光偏向器に基づいてレーザ光をガラス原盤３５の半径方向に変位させカッティング装置２１を用いてウォブルグルーブをディスク基板に形成しておく。データの記録を可能とした光ディスクへのデータの記録時、ウォブルグルーブに沿ってグルーブ内にコンテンツデータ等を記録するようにすればよい。この場合、識別データを記録するデータ記録装置では、グルーブのウォブルの所定周期における最大値と最小値に基づいて最大反転間隔を検出し、この検出結果に基づいて、光ディスクを回転するモータの通常の回転サーボ制御を行い、コンテンツデータ等を記録するようにすればよい。
ここで、光ディスク１の第２のセッション３のリードイン領域３ａや光ディスク４のリードイン領域４ａにデータが記録された状態を具体的に説明する。
図８Ａに示すように、キーロッカー領域６に次いで識別データ記録領域７が設けられているとき（図３Ａ参照）、リードイン領域３ａ，４ａには、先ずキーロッカー領域６に、暗号鍵データに対応したピットパターンが設けられ、キーロッカー領域６に次いで設けられる識別データ記録領域７に、３ＴのピットＰとランドＬが繰り返されたピットパターンが設けられる。識別データ記録領域７には、記録トラック上又は記録トラック間の反射膜に、識別データが追記録される。勿論、図３Ｂに示すように、キーロッカー領域６に先立って識別データ記録領域７が設けられているときには、図８Ａ中、識別データ記録領域７に記録される３ＴのピットＰとランドＬが繰り返されたピットパターンがキーロッカー領域６の前に設けられることになる。図３Ｃに示すように、キーロッカー領域６の両側に識別データ記録領域７が設けられるときには、図８Ａ中、識別データ記録領域７に記録される３ＴのピットＰとランドＬが繰り返されたピットパターンがキーロッカー領域６の前後に設けられることになる。
識別データ記録領域７を正弦波状のウォブルグルーブにより構成するときには、図８Ｂに示すようになる。すなわち、キーロッカー領域６に次いで識別データ記録領域７が設けられているとき（図３Ａ参照）、リードイン領域３ａ，４ａには、先ずキーロッカー領域６に、暗号鍵データに対応したピッドパターンが設けられ、キーロッカー領域６に次いで設けられる識別データ記録領域７に、ウォブルグルーブＧが設けられる。識別データ記録領域７には、記録トラック上又は記録トラック間の反射膜に、識別データが追記録される。勿論、図３Ｂに示すように、キーロッカー領域６に先立って識別データ記録領域７が設けられているときには、図８Ｂ中、識別データ記録領域７に設けられるウォブルグルーブＧがキーロッカー領域６の前に設けられることになる。図３Ｃに示すように、キーロッカー領域６の両側に識別データ記録領域７が設けられるときには、図８Ｂ中、識別データ記録領域７に記録されるウォブルグルーブＧがキーロッカー領域６の前後に設けられることになる。このウォブルグルーブＧは、ウォブルの周期を一定とした正弦波状に形成されている。
以上のような光ディスク１，４は、例えばレコード会社等によって、識別データ記録領域７に図４に示すような識別データが追記録される。ここで、以上のようにして製造された光ディスク１，４の識別データ記録領域７に識別データを追記録するデータ記録装置４１について、図９を参照して説明する。このデータ記録装置４１は、識別データにエラー訂正符号化処理を施すエラー訂正符号化部４２と、エラー訂正符号化処理がされた識別データに変調処理を施す変調部４３と、光ディスク１，４に記録するための記録処理を行う記録処理部４４と、光ディスク１，４に光ビームを照射し、識別データを追記録する光ピックアップ４５と、光ディスク１，４を例えばＣＬＶ（Ｃｏｎｓｔａｎｔ  Ｌｉｎｅａｒ  Ｖｅｌｏｃｉｔｙ）で回転するモータ４６と、ＲＦ信号等を生成するＲＦアンプ４７と、光ピックアップ４５のフォーカシング制御、トラッキング制御やモータ４６の回転制御を行うサーボ制御部４８と、識別データを識別データ記録領域７に記録するようにデータ記録装置４１の全体を制御する制御部４９とを備える。
エラー訂正符号化部４２は、エラー訂正符号を生成し、識別データにエラー訂正符号を付加し、変調部４３に出力する。
変調部４３は、エラー訂正符号化部４２より入力されたデータに対して変調処理を施す。具体的に、変調部４３は、位相変調（ＰＥ：Ｐｈａｓｅ  Ｅｎｃｏｄｉｎｇ）を行う。すなわち、変調部４３は、図１０Ａに示すように、入力データが「１」のとき、変調データのビット中央が立ち上がり、入力データが「０」のとき、変調データのビット中央が立ち下がり、同じ符号が続くとき、ビットの境界でもう一度反転するように、エラー訂正符号化部４２より入力されたデータの変調処理を行う。
なお、変調部４３は、入力データをバイフェーズマーク（ｂｉ−ｐｈａｓｅ  ｍａｒｋ）変調処理するようにしてもよい。すなわち、変調部４３は、図１０Ｂに示すように、入力データが「１」のとき、「０１」又は「１０」に変調し、入力データが「０」のとき、「００」又は「１１」に変調する。「０１」、「１０」の選択又は「００」、「１１」の選択は、前の変調データが「１」のとき、「０１」、「００」にし、前の変調データが「０」のとき、「１０」、「１１」にする。
かくして、エラー訂正符号化部４２より入力された識別データを、変調部４３によってＰＥ又はバイフェーズマーク変調により変調し、変調された識別データは記録処理部４４に供給される。記録処理部４４は、変調された識別データに記録処理を施し、光ピックアップ４５に出力する。
光ピックアップ４５は、図示しない光ビームを出射する光源としての半導体レーザ素子、この半導体レーザ素子より出射された光ビームを集束する対物レンズ、光ディスク１，４で反射された戻りの光ビームを検出する光検出器等を備える。半導体レーザ素子より出射された光ビームは、対物レンズにより集束され、光ディスク１，４の信号記録面に照射される。ここで、半導体レーザ素子は、識別データの書き込みを行うとき、光ディスク１，４の反射膜にデータを熱記録することができるように、読み出し時より高レベルの光ビームを出射する。例えば、光ピックアップ４５は、「１」を記録するとき、高出力の光ビームを識別データ記録領域７に照射し、「０」を記録するとき、高出力の光ビームを識別データ記録領域７に照射しないようにする。光ディスク１，４の信号記録面で反射された戻りの光ビームは、光検出器により電気信号に変換される。光検出器は、出力信号としての電気信号をＲＦアンプ４７に出力する。対物レンズは、アクチュエータ等の対物レンズ駆動機構に保持され、対物レンズの光軸と平行なフォーカシング方向及び対物レンズの光軸に直交するトラッキング方向に駆動変位される。モータ４６は、光ディスク１，４に識別データを記録するとき、光ディスク１，４を例えばＣＬＶで回転する。
ＲＦアンプ４７は、光ピックアップ４５を構成する光検出器からの出力信号に基づいて、ＲＦ信号、フォーカシングエラー信号及びトラッキングエラー信号を生成する。例えばフォーカシングエラー信号は、所謂非点収差法により生成され、トラッキングエラー信号は、所謂３ビーム法や所謂プッシュプル法により生成される。そして、ＲＦアンプ４７は、アドレス情報等を抽出するためＲＦ信号を制御部４９に出力し、フォーカシングエラー信号及びトラッキングエラー信号をサーボ制御部４８に出力する。
サーボ制御部４８は、光ディスク１，４に識別データを記録する際の対物レンズの位置を制御することによって光ディスク１，４の信号記録面上のビームスポットの位置を調整するためのサーボ信号を生成する。具体的に、サーボ制御部４８は、フォーカシングエラー信号に基づき、フォーカシングサーボ信号を生成し、トラッキングエラー信号に基づき、トラッキングサーボ信号を生成する。サーボ制御部４８は、フォーカシングサーボ信号及びトラッキングサーボ信号を光ピックアップ４５を構成する対物レンズ駆動機構の駆動回路に出力する。この駆動回路からの駆動信号に基づいて、対物レンズ駆動機構は、フォーカシングサーボ信号に基づき、対物レンズを対物レンズの光軸と平行なフォーカシング方向に駆動変位させ、トラッキングサーボ信号に基づき、対物レンズを対物レンズの光軸に直交するトラッキング方向に対物レンズを駆動変位させる。その結果、光ディスク１，４に照射される光ビームに基づくスポットは、識別データ記録領域７に形成された３Ｔのピット又はランドの繰り返しパターンやグルーブを合焦した状態で走査する。
サーボ制御部４８には、ＣＬＶで光ディスク１，４を回転できるようにモータ４６を制御するため、ＲＦ信号から抽出されたクロック信号等が入力される。サーボ制御部４８は、ＲＦ信号から抽出されたクロック信号に基づいてＰＬＬ（Ｐｈａｓｅ  Ｌｏｃｋｅｄ  Ｌｏｏｐ）がロックするまでのラフな回転サーボ制御と、ＰＬＬがロックした状態で行うサーボ制御と少なくとも２段階のサーボ制御を行う。
サーボ制御部４８は、識別データを識別データ記録領域７に記録するとき、識別データ記録領域７が３Ｔのピットとランドが繰り返されたピットパターンで構成されているため、他の領域と同様に同期信号を検出することができない。そこで、サーボ制御部４８は、識別データ記録領域７に識別データを記録するとき、例えば３Ｔのピットとランドの所定周期における信号のパルス幅の最大値と最小値より反転間隔を検出し、この値を同期信号として扱い、ラフな回転サーボ制御を行う。なお、サーボ制御部４８は、この他に、例えば自走周波数を用いてラフなサーボ制御を行うようにしてもよい。
識別データ記録領域７以外のデータを読み出すとき、サーボ制御部４８は、回転開始時等において、信号のパルス幅の最大値、最小値より最大反転間隔を検出し、検出された最大反転間隔をフレーム同期信号（１１Ｔ、１１Ｔ’（’は反転を示す。））として用いてラフな回転サーボ制御を行いＰＬＬがロックできるようにし、次いで、ＰＬＬがロックした状態、すなわちフレーム同期信号とデータ記録装置４１の基準信号とが同期した状態で回転サーボ制御を行い、アドレス情報等のＴＯＣデータを読み出し、識別データ記録領域７を特定することができるようにする。
制御部４９は、ＲＦアンプ４７より出力されたＲＦ信号よりサブコードデータを抽出する。制御部４９は、アドレス情報等より識別データ記録領域７を特定し、光ピックアップ４５が識別データ記録領域７に識別データを記録することができるようになったとき、回転サーボ制御をラフな回転サーボ制御に切り換えるようにサーボ制御部４８に切換信号を出力する。
次に、以上のように構成されたデータ記録装置４１の動作について説明する。先ず、記録データの記録動作が開始されると、スピンドルモータ４６は、光ディスク１，４を回転する。このとき、サーボ制御部４８は、信号のパルス幅の最大値、最小値より最大反転間隔を検出し、この検出された最大反転間隔の値をフレーム同期信号として取り扱うことにより、又は自走周波数を用いて、ＰＬＬがロックできるまでモータ４６のラフな回転サーボ制御を行う。サーボ制御部４８は、ＰＬＬがロックすると、通常の回転サーボ制御によりモータ４６を制御する。その結果、光ディスク１，４は、ＣＬＶで回転される。ＲＦアンプ４７は、ＲＦ信号、フォーカシングエラー信号、トラッキングエラー信号を生成し、ＲＦ信号を制御部４９に出力し、フォーカシングエラー信号、トラッキングエラー信号をサーボ制御部４８に出力する。サーボ制御部４８は、フォーカシングエラー信号、トラッキングエラー信号に基づきフォーカシングサーボ信号及びトラッキングサーボ信号を生成し、対物レンズ駆動回路に出力する。これによって、対物レンズ駆動機構は、駆動回路からの駆動信号に基づいて、対物レンズをその光軸と平行な方向のフォーカシング方向と光軸と直交する平面方向のトラッキング方向に駆動変位させる。
光ピックアップ４５は、光ディスク１，４の内周側からデータの読み出しを開始し、制御部４９は、図１１に示すように、ＲＦ信号よりサブコードデータを抽出し、ステップＳ１１において、抽出されたサブコードデータのアドレス情報等から識別データ記録領域７に光ピックアップ４５の走査位置が到達したか否かを判断する。制御部４９は、識別データ記録領域７に至ったとき、ステップＳ１２に進み、識別データ記録領域７に光ピックアップ４５の走査位置が到達していないとき、ステップＳ１１を繰り返す。ステップＳ１２において、制御部４９は、サーボ制御部４８に、回転サーボ制御をラフな制御に切り換えるように切換信号を出力し、サーボ制御部４８は、ラフな回転サーボ制御によりモータ４６を駆動する。具体的に、サーボ制御部４８は、識別データ記録領域７の３Ｔのピットとランドの繰り返しからなるピットパターンの所定周期におけるパルス幅の最大値、最小値より反転間隔を検出し、検出された反転間隔を同期信号として取り扱って、モータ４６の回転制御を行う。これは、前述したように識別データ記録領域７が３Ｔのランドとピットの繰り返されたピットパターンからなり、通常の回転サーボ制御を行うことができないためである。
一方、識別データは、エラー訂正符号化部４２でエラー訂正符号が付加され、次いで、変調部４３でＰＥ又はバイフェーズコード変調処理がされ、記録処理部４４で記録処理がされる。光ピックアップ４５は、光ビームの出力を再生時の標準的レベルと標準的レベルより高い高レベルに切り換えて、識別データを識別データ記録領域７に記録する。具体的に光ピックアップ４５は、識別データ記録領域７に「１」を記録するとき、高出力レベルの光ビームを識別データ記録領域７に照射し、「０」を記録するとき、標準的な出力レベルの光ビームを識別データ記録領域７に照射する。これによって、光ディスク１，４の識別データ記録領域７の反射膜には、識別データが熱記録、即ち追記録される。
かくして、識別データ記録領域７には、図１２Ａに示すように、３ＴのピットＰと３ＴのランドＬの繰り返しのピットパターン上に、１ビットの長さが４２Ｔ、８４Ｔ、９８Ｔ、１９６Ｔ等の識別データＤが記録される。なお、識別データＤの１ビット当たりの長さは、識別データを安定して読み出すことができるようにするため、長い方がよい。図１２Ａに示す例は、記録トラック上に識別データＤを記録するものであるが、識別データは、記録トラック間に記録するようにしてもよい。
識別データ記録領域７がウォブルグルーブで構成されているときには、図１２Ｂに示すように識別データが記録される。この場合、サーボ制御部４８は、正弦波のようにウォブルしたプリグルーブの所定周期における最大値と最小値を検出し、反転間隔を同期信号として取り扱ってラフな回転サーボ制御を行う。識別データ記録領域７には、ウォブルグルーブＧに、１ビットの長さが４２Ｔ、８４Ｔ等の識別データＤが記録される。なお、図１２Ｂに示すように、識別データは、プリグルーブＧ間のランドに記録するようにしてもよく、ランドとプリグルーブの両方に記録するようにしてもよい。
以上のように構成された光ディスク１，４は、識別データ記録領域７がコンテンツデータを暗号化した暗号鍵データが記録されたキーロッカー領域６の近傍、具体的に前及び／又は後に設けられていることから、後述するデータ再生装置５１では、コンテンツデータの再生前に行われる処理、すなわち識別データの読み出しと暗号鍵データの読み出しを迅速に行うことができる。
光ディスク１，４は、識別データ記録領域７が正規でないデータ再生装置では読み出すことができないように、３Ｔのピットとランドの繰り返しからなるピットパターン上に記録されている。識別データ記録領域７は、コンテンツデータを暗号化した暗号鍵データが記録されたキーロッカー領域６の前及び／又は後に設けられている。すなわち、光ディスク１，４は、光ディスク１の第２のセッション３のプログラム領域３ｂや光ディスク４のプログラム領域４ｂのデータの暗号を解読するのに必要な暗号鍵データが記録されたキーロッカー領域６が、正規でないデータ再生装置で再生できない識別データ記録領域７にガードされている。したがって、光ディスクでは、不正に暗号鍵データが読み出されてしまうことを防止することができる。
本発明が適用された光ディスク１，４は、識別データを識別データ記録領域７に設けられた３Ｔのピットパターン上に熱記録によって記録していることから、ディスク基板に設けられた凹凸のピットパターンを不正に転写したときにも、識別データまでが複写されることを防止することができる。したがって、後述するデータ再生装置５１のように、識別データを検出したときに限って光ディスク１の第２のセッション３のプログラム領域３ｂや光ディスク４のプログラム領域４ｂの再生を許可するようにすることで、例えば不正に製造された光ディスクの再生を禁止することができる。
次に、以上のように識別データが記録された光ディスク１，４のデータ再生装置５１について、図１３を参照して説明する。このデータ再生装置５１は、光ディスク１，４を回転するモータ５２と、モータ５２により回転されている光ディスク１，４に光ビームを照射し戻りの光ビームを検出することによりデータの読み出しを行う光ピックアップ５３と、光ピックアップ５３を径方向に移動させるスレッドモータ５４と、光ピックアップ５３からの出力を増幅するＲＦアンプ５５と、種々のサーボ信号を生成するサーボ制御部５６と、ＲＦアンプ５５から出力されたＲＦ信号を復調する復調部５７と、復調されたデータのエラー訂正処理を行うエラー訂正処理部５８と、暗号化されているコンテンツデータを解読する暗号解読部５９と、リードイン領域２ａ，３ａ，４ａに記録されたＴＯＣデータ等のデータを読み出すリードイン読出部６０と、識別データの有無を判別する判別部６１と、リードイン読出部６０からの出力を切り換える切換部６２と、識別データを読み出す識別データ読出部６３と、暗号鍵データの抽出を行う暗号鍵読出部６４と、データ再生装置５１全体の動作を制御する制御部６５とを備える。
モータ５２は、出力軸に取り付けられたディスクテーブル等からなるディスク装着部に装着された光ディスク１，４を例えばＣＬＶで回転する。光ピックアップ５３は、光源となる光ビームを出射する半導体レーザ素子、この半導体レーザ素子より出射された光ビームを集束する対物レンズ、光ディスク１，４で反射された戻りの光ビームを検出する光検出器等の図示しない構成要素を備える。半導体レーザ素子より出射された光ビームは、対物レンズにより集束され、光ディスク１，４の信号記録面に照射される。戻りの光ビームは、光検出器で検出され、光電変換される。光検出器は、この電気信号を出力信号としてＲＦアンプ５５に出力する。対物レンズは、アクチュエータ等の対物レンズ駆動機構に保持され、対物レンズの光軸と平行なフォーカシング方向及び対物レンズの光軸に直交するトラッキング方向に駆動変位される。そして、この光ピックアップ５３は、スレッドモータ５４を駆動源とする図示しない送り機構によって、光ディスク１，４の径方向に移動される。
ＲＦアンプ５５は、光ピックアップ５３を構成する光検出器からの出力信号に基づいて、ＲＦ信号、フォーカシングエラー信号及びトラッキングエラー信号を生成する。例えばフォーカシングエラー信号は、所謂非点収差法により生成され、トラッキングエラー信号は、所謂３ビーム法や所謂プッシュプル法により生成される。ＲＦアンプ５５は、ＲＦ信号を復調部５７に出力し、生成した各エラー信号をサーボ制御部５６に出力する。
サーボ制御部５６は、光ディスク１，４に記録されたデータを読み出す際のサーボ信号を生成する。具体的に、サーボ制御部５６は、供給されたフォーカシングエラー信号に基づき、フォーカシングサーボ信号を生成し、供給されたトラッキングエラー信号に基づき、トラッキングサーボ信号を生成する。サーボ制御部５６は、フォーカシングサーボ信号及びトラッキングサーボ信号を光ピックアップ５３の対物レンズ駆動機構の駆動回路に出力する。対物レンズ駆動機構は、供給されたフォーカシングサーボ信号に基づく駆動回路からの駆動信号により対物レンズを対物レンズの光軸と平行な方向のフォーカシング方向に駆動変位させ、トラッキングサーボ信号に基づき、駆動回路からの駆動信号により対物レンズを対物レンズの光軸に直交する平面方向のトラッキング方向に対物レンズを駆動変位させる。サーボ制御部５６は、供給されたトランジスタエラー信号の低域周波数成分からスレッドモータ５４のサーボ信号を生成し、スレッドモータ５４に出力する。
サーボ制御部５６には、ＣＬＶで光ディスク１，４を回転できるようにモータ５２を制御するため、ＲＦ信号から抽出されたクロック信号等が入力される。サーボ制御部４８は、ＲＦ信号から抽出されたクロック信号に基づくＰＬＬ（Ｐｈａｓｅ  Ｌｏｃｋｅｄ  Ｌｏｏｐ）がロックするまでのラフな回転サーボ制御と、ＰＬＬがロックした状態で行うサーボ制御と少なくとも２段階のサーボ制御を行う。
サーボ制御部５６は、識別データ記録領域７に記録された識別データの読出を行うとき、識別データ記録領域７が３Ｔのピットとランドが繰り返されたピットパターンで構成されているため、他の領域と同様に同期信号を検出することができない。そこで、サーボ制御部５６は、識別データ記録領域７に識別データを記録するとき、例えば３Ｔのピットとランドの所定周期における信号のパルス幅の最大値、最小値より反転間隔を検出し、この検出した反転間隔の値を同期信号として扱い、ラフな回転サーボ制御を行う。なお、サーボ制御部５６は、この他に、例えば自走周波数を用いてラフなサーボ制御を行うようにしてもよい。
識別データ記録領域７以外のデータを読み出すとき、サーボ制御部５６は、回転開始時等において、信号のパルス幅の最大値、最小値より最大反転間隔を検出し、この検出された最大反転間隔をフレーム同期信号として用いてラフな回転サーボ制御を行いＰＬＬがロックできるようにし、次いで、ＰＬＬがロックした状態、すなわちフレーム同期信号とデータ再生装置５１の基準信号とが同期した状態で回転サーボ制御を行い、アドレス情報等のＴＯＣデータを読み出し、識別データ記録領域７を特定することができるようにする。サーボ制御部４８は、この通常の回転サーボ制御で、識別データ記録領域７以外の領域のデータの読み出しを行う。
エラー訂正処理部５８は、ＣＩＲＣ等のエラー訂正符号を用いて、読み出したデータのエラー検出とエラー訂正処理を行う。エラー訂正処理部５８は、暗号化されていないコンテンツデータのとき、エラー訂正処理が行われたデータを出力端子７０から例えば図示しないＤ／Ａコンバータ等に出力し、暗号化されているコンテンツデータのとき、エラー訂正処理が行われたデータを暗号解読部５９に出力する。
暗号解読部５９は、先ず、キーロッカー領域６より読み出され、メモリ等に記憶されている暗号鍵データを用いてエラー訂正処理部５８から供給された暗号化されているコンテンツデータの暗号を解読する。暗号解読部５９は、出力端子７１から暗号解読したコンテンツデータ等を、図示しないＤ／Ａコンバータ等に出力する。
リードイン読出部６０は、リードイン領域２ａ，３ａ，４ａに記録されたＴＯＣデータ等のデータを読み出す。判別部６１は、リードイン領域２ａ，３ａ，４ａに記録されているＴＯＣデータ等のデータの中からディスク装着部に装着された光ディスクが識別データが記録されているものであるかどうか、識別データ記録領域７の有無を判別する。識別データ記録領域７の有無の検出は、例えば光ピックアップ５３からの出力信号に基づくＲＦ信号から図８Ａに示す３Ｔのランドとピットの繰り返しパターンが検出できるか否か、図８Ｂに示すようにウォブルされたプリグルーブからウォブル成分が検出できるか否かによって判別することもできるし、リードイン領域に識別データ記録領域７の有無を示すデータを記録してもよい。判別部６１が識別データが記録されていないと判別したとき、ディスクデータ再生装置５１は、ＣＤやＤＶＤ等の記録フォーマットに基づいたデータ、例えば光ディスク１の第１のセッション２のプログラム領域２ｂに記録されたコンテンツデータのみの再生を可能にする。判別部６１は、ディスク装着部に装着された光ディスクに識別データが記録されていると判断したとき、切換部６２をオンとし、リードイン読出部６０より識別データ読出部６３が識別データを読み出す。すなわち、識別データ読出部６３は、ＰＥ、バイフェーズマーク変調等がされている識別データを復調し、エラー訂正処理を行う。識別データ読出部６３は、識別データを正常に識別することができたとき、光ディスク１の第２のセッション３のプログラム領域３ｂや光ディスク４のプログラム領域ｂの再生を許可する許可信号を出力端子７３から出力する。識別データ読出部６３は、識別データを正常に識別することができなかったとき、光ディスク１の第２のセッション３のプログラム領域３ｂや光ディスク４のプログラム領域４ｂの再生を禁止する再生禁止信号を出力端子７４から出力する。
暗号鍵読出部６４は、リードイン読出部６０で読み出したデータより光ディスク１の第２のセッション３のプログラム領域３ｂに暗号化されて記録されているコンテンツデータや光ディスク４のプログラム領域４ｂに暗号化されて記録されているコンテンツデータの暗号鍵データを抽出する。暗号鍵読出部６４は、抽出した暗号鍵データを暗号解読部５９に出力する。暗号鍵読出部６４によって抽出された暗号鍵では、図示しないメモリに蓄積しておき、暗号解読部５９がエラー訂正処理部５８からのデータの暗号解読を行う際にメモリから暗号鍵データを読み出すようにしてもよい。
次に、以上のように構成されたデータ再生装置５１の動作について、図１４を参照して説明する。なお、図１４に示す例は、図３Ａに示すように、暗号鍵データが識別データの前に記録されているときの例である。
ステップＳ２１において、データ再生装置５１は、ディスク装着部に光ディスク１，又は光ディスク４が装着されると、リードイン領域の２ａ，４ａの読出を行うため、スピンドルモータ５２を駆動し光ディスク１，４を回転すると共にスレッドモータ５４を駆動し、光ピックアップ５３を装着された光ディスク１又は４の内周側に移動し、リードイン領域２ａ，４ａに記録されたデータを読み出すことができる状態にする。ここで、サーボ制御部５６は、回転開始時等において、信号のパルス幅の最大値、最小値より最大反転間隔を検出し、検出された最大反転間隔をフレーム同期信号として用いてラフな回転サーボ制御を行いＰＬＬがロックできるようにし、次いで、ＰＬＬがロックした状態、すなわちフレーム同期信号とデータ再生装置５１の基準信号とが同期した状態で回転サーボ制御を行う。光ピックアップ５３は、光ビームを光ディスクに照射し、反射した戻りの光ビームを検出し、リードイン領域２ａ，４ａに記録されたデータの読み出しを開始する。リードイン読出部６０は、リードイン領域２ａ，４ａに記録されたＴＯＣデータ等のデータの読み出しを行う。
なお、装着された光ディスクが第１のセッション２、第２のセッション３を有する光ディスク１であることを、光ディスク１のリードイン領域２ａから読み出された媒体識別データに基づいて判別した場合には、光ピックアップ５３を第２のセッション３のリードイン領域３ａと対向する位置に移動させ、上述した手順によりリードイン領域３ａのデータの読み出しを行う。
ステップＳ２２において、制御部６５は、キーロッカー領域６にアクセスするように光ピックアップ５３を制御し、暗号鍵読出部６４は、リードイン読出部６０が読み出したデータより、キーロッカー領域６に記録されている暗号鍵データを抽出する。暗号鍵読出部６４は、抽出した暗号鍵データを暗号解読部５９に出力する。暗号解読部５９は、例えばメモリ等にこの暗号鍵データを保存し、暗号化されているコンテンツデータの再生の際に用いることができるようにする。
ステップＳ２３において、判別部６１は、リードイン読出部６０が読み出したリードイン領域に記録されたデータより、再生中の光ディスクに識別データ記録領域７があるかどうかを判断する。判別部６１は、識別データ記録領域７があると判断したとき、切換部６２をオンとし、リードイン読出部６０より識別データ読出部６３が識別データを読み出すことができるようにする。判別部６１は、制御部６５に判別結果として識別データ記録領域７の有り信号を出力する。判別部６１は、判別部６１が識別データが記録されていないと判別したとき、切換部６２をオフとする。判別部６１は、制御部６５に判別結果として識別データ記録領域７の無し信号を出力する。
ステップＳ２４において、制御部６５は、判別部６１からの入力、すなわち識別データ記録領域７の有り信号に基づいて、モータ５２の回転サーボ制御をラフにするための切換信号をサーボ制御部５６に出力する。サーボ制御部５６は、この切換信号に基づいて、通常のサーボ制御、すなわちＰＬＬがロックした状態での回転サーボ制御からラフな回転サーボ制御に切り換える。サーボ制御部５６は、３Ｔのピットとランドの所定周期における信号の最大値、最小値より反転間隔を検出し、この検出された反転間隔の値を同期信号として扱い、ラフな回転サーボ制御を行う。
ステップＳ２５において、識別データ読出部６３は、リードイン読出部６０より識別データを読み出し、ＰＥ、バイフェーズマーク変調等がされている識別データを復調し、エラー訂正処理を行う。ここで、識別データが記録された識別データ記録領域７は、暗号鍵データが記録されたキーロッカー領域６の後に設けられている。したがって、光ピックアップ５３は、迅速にキーロッカー領域６から識別データ記録領域７に容易にアクセスすることができる。
ステップＳ２６において、識別データ読出部６３は、識別データを正常に読み出すことができたかどうかを判断する。識別データ読出部６３は、識別データを正常に読み出すことができると判断されたとき、制御部６５に光ディスク１の第２のセッション３のプログラム領域３ｂや光ディスク４のプログラム領域４ｂの再生を許可する許可信号を出力する。識別データ読出部６３は、エラーの発生や、正しく復調、エラー訂正処理が行えず識別データを正常に読み出すことができないとき、制御部６５に光ディスク１の第２のセッション３のプログラム領域３ｂや光ディスク４のプログラム領域４ｂの再生を禁止する再生禁止信号を出力する。
ステップＳ２７において、識別データ読出部６３は、正常に識別データ記録領域７に記録されている識別データの読み出しが終了したかどうかを判断する。識別データ読出部６３は、識別データの読み出しが正常に終了したとき、識別データの読出の終了信号を制御部６５に対して出力する。識別データ読出部６３は、識別データの読出が終了していないとき、識別データの読出を続けるためステップＳ２５に戻る。
ステップＳ２８において、制御部６５は、識別データ読出部６３からの識別データの読出が終了した終了信号が入力されたとき、光ディスクを回転しているモータ５２の回転サーボ制御をラフな状態から正常な状態に切り換えるための切換信号をサーボ制御部５６に出力する。サーボ制御部５６は、ＰＬＬがロックした状態で行う通常の回転サーボ制御に切り換える。
光ディスク１の第２のセッション３のプログラム領域３ｂや光ディスク４のプログラム領域４ｂに暗号化されたコンテンツデータを再生するとき、ステップＳ２９において、復調部５７は、ＥＦＭ又は８−１６変調されているデータを復調し、エラー訂正処理部５８に出力する。エラー訂正処理部５８は、復調されたデータに付加されているエラー訂正符号を用いてエラー検出、エラー訂正処理を行い、暗号解読部５９に出力する。暗号解読部５９は、暗号鍵読出部６４によりキーロッカー領域６より読み出された暗号鍵データを用いてプログラム領域３ｂ、プログラム領域４ｂから読み出されたコンテンツデータに施されている暗号を解読する。暗号解読されたコンテンツデータは、出力端子７１から図示しないＤ／Ａコンバータを介してスピーカや画像表示装置に出力される。
ステップＳ２３において、判別部６１がディスク装着部に装着された光ディスクに識別データ記録領域７が設けられておらず制御部６５に対して識別データ記録領域７の無し信号を出力したときや、ステップＳ２６において、識別データ読出部６３が識別データ記録領域７から識別データを正常に読み出すことができず再生禁止信号を制御部６５に対して出力したとき、制御部６５は、ステップＳ３０において、光ディスク１の第２のセッション３のプログラム領域３ｂや光ディスク４のプログラム領域４ｂの再生を禁止する。すなわち、データ再生装置５１は、光ディスク１の第２のセッション３のプログラム領域３ｂや光ディスク４のプログラム領域４ｂの再生を行うことができなくなり、例えば光ディスク１の第１のセッション２のプログラム領域２ｂに記録されたコンテンツデータのように既存のＣＤやＤＶＤと同じ記録フォーマットにより記録されているデータのみの再生が可能となる。既存のＣＤやＤＶＤと同じ記録フォーマットにより記録されているデータは、復調部５７で復調された後、エラー訂正処理部５８でエラー検出、エラー訂正処理が行われる。この訂正処理部５８から出力されるデータは、暗号化されていないことから、暗号解読部５９に出力されることなく、出力端子７０から図示しないＤ／Ａコンバータを介してスピーカや画像表示装置に出力される。
次に、図１５を用いて、図３Ｂに示すように、暗号鍵データの前に職別データが記録されている光ディスク１，４を再生するときのデータ再生装置５１の動作について説明する。
ステップＳ３１において、データ再生装置５１は、ディスク装着部に光ディスク１又は光ディスク４が装着されると、リードイン領域の２ａ，４ａの読出を行うため、モータ５２を駆動し光ディスク１又は４を回転すると共にスレッドモータ５４を駆動し、光ピックアップ５３を光ディスク１又は４の内周側に移動し、リードイン領域２ａ，４ａに記録されたデータを読み出すことができる状態にする。ここで、サーボ制御部５６は、回転開始時等において、光ピックアップ５３からの出力信号に基づいてパルス幅の最大値、最小値より最大反転間隔を検出し、検出された最大反転間隔をフレーム同期信号として用いてラフな回転サーボ制御を行いＰＬＬがロックできるようにし、次いで、ＰＬＬがロックした状態、すなわちフレーム同期信号とデータ再生装置５１の基準信号とが同期した状態で回転サーボ制御を行う。光ピックアップ５３は、光ビームを光ディスク１又は４に照射し、光ディスクによって反射された戻りの光ビームを検出し、リードイン領域２ａ，４ａに記録されたデータの読み出しを開始する。リードイン読出部６０は、リードイン領域２ａ，４ａに記録されたＴＯＣデータ等のデータの読み出しを行う。
なお、図１４と同様に、光ディスク１のリードイン領域２ａから読み出された媒体識別データに基づいて、光ディスク１が第２のセッション３を有する光ディスクであると判別されたときには、光ディスク１のリードイン領域３ａと対向する位置まで移動させ、上述した手順によりリードイン領域３ａに記録されているデータを読み出す。
ステップＳ３２において、判別部６１は、リードイン領域２ａ，４ａに記録されたデータより、再生中の光ディスク１又は４に識別データ記録領域７があるか否かを判断する。判別部６１は、識別データ記録領域７があると判断したとき、切換部６２をオンとし、リードイン読出部６０より識別データ読出部６３が識別データを読み出すことができるようにする。判別部６１は、制御部６５に判別結果として識別データ記録領域７の有り信号を出力する。判別部６１は、判別部６１が識別データ記録領域７がない、即ち識別データが記録されていないと判別したとき、切換部６２をオフとする。判別部６１は、制御部６５に判別結果として識別データ記録領域７の無し信号を出力する。
ステップＳ３３において、制御部６５は、判別部６１からの入力、すなわち識別データ記録領域７の有り信号に基づいて、モータ５２の回転サーボ制御をラフにするための切換信号をサーボ制御部５６に出力する。サーボ制御部５６は、この切換信号に基づいて、通常のサーボ制御、すなわちＰＬＬがロックした状態での回転サーボ制御からラフな回転サーボ制御に切り換える。サーボ制御部５６は、３Ｔのピットとランドの所定周期における信号のパルス幅の最大値、最小値より反転間隔を検出し、この値を同期信号として扱い、ラフな回転サーボ制御を行う。
ステップＳ３４において、識別データ読出部６３は、リードイン読出部６０より識別データを読み出し、ＰＥ、バイフェーズマーク変調等がされている識別データを復調し、エラー検出、エラー訂正処理を行う。
ステップＳ３５において、識別データ読出部６３は、識別データを正常に読み出すことができたかどうかを判断する。識別データ読出部６３は、識別データを正常に読み出すことができるとき、制御部６５に対して光ディスク１の第２のセッション３のプログラム領域３ｂや光ディスク４のプログラム領域４ｂの再生を許可する許可信号を出力する。識別データ読出部６３は、正しく復調できない、エラー訂正が行えない等の理由で識別データを正常に読み出すことができないとき、制御部６５に対して、光ディスク１の第２のセッション３のプログラム領域３ｂや光ディスク４のプログラム領域４ｂの再生を禁止する再生禁止信号を出力する。
ステップＳ３６において、識別データ読出部６３は、正常に識別データ記録領域７に記録されている識別データの読み出しが終了したかどうかを判断する。そして、識別データ読出部６３は、識別データの読出が終了したとき、識別データの読出の終了信号を制御部６５に対して出力する。識別データ読出部６３は、識別データの読出が終了していないとき、識別データの読出を続けるためステップＳ３４に戻る。
識別データの読出が終了すると、ステップＳ３７において、制御部６５は、識別データ読出部６３からの識別データの読出が終了した終了信号が入力されたとき、光ディスクを回転しているモータ５２の回転サーボ制御をラフな状態から正常な状態に切り換えるための切換信号をサーボ制御部５６に出力する。サーボ制御部５６は、ＰＬＬがロックした状態で行う通常の回転サーボ制御に切り換える。
ステップＳ３８において、制御部６５は、キーロッカー領域６にアクセスするように光ピックアップ５３を制御し、暗号鍵読出部６４は、リードイン読出部６０が読み出したデータより、キーロッカー領域６に記録されている暗号鍵データを抽出する。暗号鍵読出部６４は、暗号鍵データを暗号解読部５９に出力する。暗号解読部５９は、例えばメモリ等にこの暗号鍵データを保存し、暗号化されているコンテンツデータの再生の際に用いることができるようにする。ここで、暗号鍵データが記録されているキーロッカー領域６は、識別データが記録された識別データ記録領域７に次いで設けられている。したがって、光ピックアップ５３は、迅速に識別データ記録領域７からキーロッカー領域６にアクセスすることができる。
ステップＳ３９において、光ディスク１の第２のセッション３のプログラム領域３ｂや光ディスク４のプログラム領域４ｂに暗号化されたコンテンツデータを再生するとき、復調部５７は、ＥＦＭ又は８−１６変調されているデータを復調し、エラー訂正処理部５８に出力する。エラー訂正処理部５８は、復調されたデータに付加されているエラー訂正符号を用いてエラー訂正、エラー訂正処理を行い、暗号解読部５９に出力する。暗号解読部５９は、暗号鍵読出部６４によりキーロッカー領域６より読み出された暗号鍵データを用いてエラー訂正処理部５８から出力されたデータの暗号を解読する。暗号解読されたコンテンツデータは、出力端子７１から図示しないＤ／Ａコンバータを介してスピーカや画像表示装置に出力される。
ステップＳ３２において、判別部６１がディスク装着部に装着された光ディスクに識別データ記録領域７が設けられておらず制御部６５に対して識別データ記録領域７の無し信号を出力したときや、ステップＳ３５において、識別データ読出部６３が識別データ記録領域７から識別データを正常に読み出すことができず再生禁止信号を制御部６５に対して出力したとき、制御部６５は、ステップＳ４０に進んで、光ディスク１の第２のセッション３のプログラム領域３ｂや光ディスク４のプログラム領域４ｂの再生を禁止する。すなわち、データ再生装置５１は、光ディスク１の第２のセッション３のプログラム領域３ｂや光ディスク４のプログラム領域４ｂの再生を行うことができなくなり、例えば光ディスク１の第１のセッション２のプログラム領域２ｂに記録されたコンテンツデータのように既存のＣＤやＤＶＤと同じ記録フォーマットで記録されているのデータのみの再生が可能となる。既存のＣＤやＤＶＤと同じ記録フォーマットで記録されているデータは、復調部５７で復調された後、エラー訂正処理部５８でエラー訂正処理がなされる。エラー訂正処理部５８から出力されるデータは、暗号化されていないことから、暗号解読部５９に出力されることなく、出力端子７０から図示しないＤ／Ａコンバータを介してスピーカや画像表示装置に出力される。
なお、図３Ｃに示すように、キーロッカー領域６の前後に識別データ記録領域７が設けられているときには、キーロッカー領域６の前の識別データ記録領域７にアクセスするとき図１４に示す処理を行い、キーロッカー領域６の後の識別データ記録領域７にアクセスするとき図１５に示す処理を行うようにすればよい。
以上のようなデータ再生装置５１は、光ディスク１，４から識別データを読み出すことができたときに限って、光ディスク１の第２のセッション３のプログラム領域３ｂに記録されたコンテンツデータや光ディスク４のプログラム領域４ｂに記録されたコンテンツデータを再生することができ、更に既存のＣＤやＤＶＤと同じ記録フォーマットで記録されたデータ、例えば光ディスク１の第１のセッション２のプログラム領域２ｂに記録されたコンテンツデータも読み出すことができる。
以上の例は、光ディスク１の第２のセッション３のリードイン領域３ａや光ディスク４のリードイン領域４ａに識別データや暗号鍵データを記録し、ディスクの内周側からアクセスを開始するデータ再生装置５１を例にとり説明したが、本発明はこれに限定されるものではなく、例えば光ディスクの外周側からアクセスを開始するデータ再生装置のときには、光ディスク１の第２のセッション３のリードアウト領域３ｃや光ディスク４のリードアウト領域４ｃに識別データや暗号鍵データを記録するようにしてもよい。
光ディスク１は、第１のセッション２のリードアウト領域２ｃと第２のセッション３のリードイン領域３ａとが近接した位置に設けられている。したがって、本発明では、暗号鍵データを第１のセッション３のリードアウト領域３ｃに記録し、識別データを第２のセッションのリードイン領域３ａに記録するようにしてもよく、これとは逆に、識別データを第１のセッション３のリードアウト領域３ｃに記録し、暗号鍵データを第２のセッションのリードイン領域３ａに記録するようにしてもよい。
産業上の利用可能性
本発明は、暗号化されたデータが記録される第１の記録領域と、第１の記録領域に先立って読み出される位置に設けられ、暗号化されたデータを解くための暗号鍵データが記録される第１の領域部分と少なくとも第１の領域部分とは異なる変調方式で変調されたデータが記録される第２の領域部分を有する第２の記録領域とを備えているているので、第１の記録領域に記録された暗号化されたデータを読み出すためには、第２の記録領域の暗号化されたデータを解くため暗号鍵データの読み出しが要求されるので、暗号化されたデータの確実な保護が実現される。更に、第２の記録領域の第２の領域部分に第１の領域部分とは異なる変調方式で変調されて記録媒体固有の識別データ等のデータが記録されるので、記録媒体の管理を容易に行うことができる。
【図面の簡単な説明】
図１は、本発明に係る光ディスクの記録領域を示す図である。
図２は、本発明に係る光ディスクの他の例の記録領域を示す図である。
図３Ａ乃至図３Ｃは、図１、図２に示した光ディスクのリードイン領域に格納された暗号鍵データと識別データの記録順序を説明する図である。
図４は、識別データの内容を説明する図である。
図５は、本発明に係る光ディスクの製造工程を説明する図である。
図６は、本発明に係る光ディスクを製造するために用いるディスク原盤を製造するために用いるカッティング装置を示すブロック図である。
図７は、カッティング装置の動作を説明するフローチャートである。
図８Ａ及び図８Ｂは、光ディスクのリードイン領域の構成を説明する図である。
図９は、識別データ記録領域に識別データを記録する記録装置のブロック図である。
図１０Ａ及び図１０Ｂは、位相変調とバイフェーズコード変調処理とを説明する図である。
図１１は、記録装置の動作を説明するフローチャートである。
図１２Ａ及び図１２Ｂは、識別データ記録領域に識別データが記録された状態を説明する図である。
図１３は、データ再生装置を示すブロック図である。
図１４は、データ再生装置の動作を説明するフローチャートである。
図１５は、データ再生装置の動作の他の例を説明するフローチャートである。
【図１】
2003003358.tif 000003
【図２】
2003003358.tif 000004
【図３Ａ】
2003003358.tif 000005
【図３Ｂ】
2003003358.tif 000006
【図３Ｃ】
2003003358.tif 000007
【図４】
2003003358.tif 000008
【図５】
2003003358.tif 000009
【図６】
2003003358.tif 000010
【図７】
2003003358.tif 000011
【図８Ａ】
2003003358.tif 000012
【図８Ｂ】
2003003358.tif 000013
【図９】
2003003358.tif 000014
【図１０Ａ】
2003003358.tif 000015
【図１０Ｂ】
2003003358.tif 000016
【図１１】
2003003358.tif 000017
【図１２Ａ】
2003003358.tif 000018
【図１２Ｂ】
2003003358.tif 000019
【図１３】
2003003358.tif 000020
【図１４】
2003003358.tif 000021
【図１５】
2003003358.tif 000022
【国際調査報告】
2003003358.tif 000023
2003003358.tif 000024
2003003358.tif 000025
2003003358.tif 000026
2003003358.tif 000027
2003003358.tif 000028
2003003358.tif 000029
2003003358.tif 000030